(57)【要約】【課題】機器と機器に追加されている追加構成とを連携させることを可能とする。【解決手段】機器に関する情報である機器情報を取得する機器情報取得部１５２と、機器に追加されている追加構成に関する情報である追加構成情報を取得する追加構成情報取得部１５３と、追加構成を識別する追加構成識別情報を生成し、追加構成識別情報に基づいて、機器情報と追加構成情報とを連携させる追加構成情報管理部１５５と、を備える。【選択図】図３
2013186631.tif 000002
【特許請求の範囲】
【請求項１】
機器を管理する機器管理装置であって、
前記機器に関する情報である機器情報を取得する機器情報取得部と、
前記機器に追加されている追加構成に関する情報である追加構成情報を取得する追加構成情報取得部と、
前記追加構成を識別する追加構成識別情報を生成する生成部と、
前記追加構成識別情報に基づいて、前記機器情報と前記追加構成情報とを連携させる連携部と、
を備える機器管理装置。
【請求項２】
前記機器情報は、前記機器を識別する機器識別情報を含み、
前記連携部は、前記追加構成識別情報及び前記機器識別情報を前記追加構成情報に付加する請求項１に記載の機器管理装置。
【請求項３】
前記機器識別情報及び前記追加構成識別情報の少なくともいずれかを外部装置に通知する通知部を更に備える請求項２に記載の機器管理装置。
【請求項４】
前記生成部は、前記追加構成情報に含まれる一意な情報に基づき前記追加構成識別情報を生成する請求項１〜３のいずれか１つに記載の機器管理装置。
【請求項５】
前記生成部は、前記追加構成情報に含まれる非一意な情報と前記機器情報に含まれる一意な情報とに基づき前記追加構成識別情報を生成する請求項１〜３のいずれか１つに記載の機器管理装置。
【請求項６】
前記追加構成識別情報の登録を前記機器に要求する登録要求部を更に備える請求項５に記載の機器管理装置。
【請求項７】
前記連携部は、前記生成部により新たに生成された追加構成識別情報を更に前記追加構成情報に付加する請求項５又は６に記載の機器管理装置。
【請求項８】
前記機器情報が記憶される機器情報記憶部と、
前記追加構成情報が記憶される追加構成情報記憶部と、
を更に備える請求項１〜７のいずれか１つに記載の機器管理装置。
【請求項９】
機器を管理する機器管理装置と、外部装置とを、備える機器管理システムであって、
前記機器管理装置は、
前記機器に関する情報であって前記機器を識別する機器識別情報を含む機器情報を取得する機器情報取得部と、
前記機器に追加されている追加構成に関する情報である追加構成情報を取得する追加構成情報取得部と、
前記追加構成を識別する追加構成識別情報を生成する生成部と、
前記追加構成識別情報に基づいて、前記機器情報と前記追加構成情報とを連携させる連携部と、
前記機器識別情報及び前記追加構成識別情報の少なくともいずれかを前記外部装置に通知する通知部と、を備え、
前記外部装置は、
前記機器管理装置から通知された少なくともいずれかの識別情報に基づいて、前記機器情報、前記追加構成情報、及び前記外部装置で管理している情報を連携させる機器管理システム。
【請求項１０】
機器を管理するコンピュータに、
前記機器に関する情報である機器情報を取得する機器情報取得ステップと、
前記機器に追加されている追加構成に関する情報である追加構成情報を取得する追加構成情報取得ステップと、
前記追加構成を識別する追加構成識別情報を生成する生成ステップと、
前記追加構成識別情報に基づいて、前記機器情報と前記追加構成情報とを連携させる連携ステップと、
を実行させるためのプログラム。
【発明の詳細な説明】
【技術分野】
【０００１】
本発明は、機器管理装置、機器管理システム、及びプログラムに関する。
【背景技術】
【０００２】
従来から、ネットワークを介して機器を管理する機器管理装置が知られている。また、識別番号を有していない周辺機器が周辺機器サーバに接続された場合に、当該周辺機器の識別番号を生成することで、当該周辺機器を識別する技術も知られている（例えば、特許文献１）。
【０００３】
近年では、様々なオプション構成を予め搭載した機器を導入したり、機器のみを導入し必要に応じてオプション構成を当該機器に追加導入したりするというように、顧客環境における機器の運用形態は多様化している。
【０００４】
例えば各オプション構成は、特定機器の専用品ではなく、当該機器と同等の性能（例えば、提供側が定める一定の処理能力や、各種インターフェースへの拡張性等）を有する他の機器でも利用できるものが多い。大きな環境変化が恒常化している現在を鑑みるに、ある機器で現在利用しているオプション構成を他の機器で利用することが増加し、オプション構成と機器との関係も一層複雑化することが予想される。
【０００５】
各オプション構成と機器の利用形態が変化した場合、資産管理上は不整合が生じることとなる。しかし、機器の稼動という面では、オプション構成や機器がコンパチブルな環境で利用されている以上は、機器全体の稼動としては適切であるため、既存の機器管理システムでは、機器の利用形態の変化を資産管理上の問題として識別することができない。
【発明の概要】
【発明が解決しようとする課題】
【０００６】
本発明は、上記事情に鑑みてなされたものであり、機器と機器に追加されている追加構成とを連携させることを可能とする機器管理装置、機器管理システム及びプログラムを提供することを目的とする。
【課題を解決するための手段】
【０００７】
上述した課題を解決し、目的を達成するために、本発明の一態様にかかる機器管理装置は、機器を管理する機器管理装置であって、前記機器に関する情報である機器情報を取得する機器情報取得部と、前記機器に追加されている追加構成に関する情報である追加構成情報を取得する追加構成情報取得部と、前記追加構成を識別する追加構成識別情報を生成する生成部と、前記追加構成識別情報に基づいて、前記機器情報と前記追加構成情報とを連携させる連携部と、を備える。
【０００８】
また、本発明の別の態様にかかる機器管理システムは、機器を管理する機器管理装置と、外部装置とを、備える機器管理システムであって、前記機器管理装置は、前記機器に関する情報であって前記機器を識別する機器識別情報を含む機器情報を取得する機器情報取得部と、前記機器に追加されている追加構成に関する情報である追加構成情報を取得する追加構成情報取得部と、前記追加構成を識別する追加構成識別情報を生成する生成部と、前記追加構成識別情報に基づいて、前記機器情報と前記追加構成情報とを連携させる連携部と、前記機器識別情報及び前記追加構成識別情報の少なくともいずれかを前記外部装置に通知する通知部と、を備え、前記外部装置は、前記機器管理装置から通知された少なくともいずれかの識別情報に基づいて、前記機器情報、前記追加構成情報、及び前記外部装置で管理している情報を連携させる。
【０００９】
また、本発明の別の態様にかかるプログラムは、機器を管理するコンピュータに、前記機器に関する情報である機器情報を取得する機器情報取得ステップと、前記機器に追加されている追加構成に関する情報である追加構成情報を取得する追加構成情報取得ステップと、前記追加構成を識別する追加構成識別情報を生成する生成ステップと、前記追加構成識別情報に基づいて、前記機器情報と前記追加構成情報とを連携させる連携ステップと、を実行させるためのものである。
【発明の効果】
【００１０】
本発明によれば、機器と機器に追加されている追加構成とを連携させることを可能とすることができるという効果を奏する。
【図面の簡単な説明】
【００１１】
【図１】図１は、第１実施形態の機器管理システムの構成の一例を示すブロック図である。
【図２】図２は、第１実施形態の機器の構成の一例を示すブロック図である。
【図３】図３は、第１実施形態の機器管理装置の構成の一例を示すブロック図である。
【図４】図４は、第１実施形態の機器情報記憶部に記憶されている機器情報の一例を示す図である。
【図５】図５は、第１実施形態の追加構成情報記憶部に記憶されている連携前の追加構成情報の一例を示す図である。
【図６】図６は、第１実施形態の追加構成情報記憶部に記憶されている連携後の追加構成情報の一例を示す図である。
【図７】図７は、第１実施形態の資産管理装置の構成の一例を示すブロック図である。
【図８】図８は、第１実施形態の資産情報記憶部に記憶されている資産情報の一例を示す図である。
【図９】図９は、第１実施形態の機器管理システムの動作の一例を示すシーケンス図である。
【図１０】図１０は、第２実施形態の機器管理システムの機器管理装置の構成の一例を示すブロック図である。
【図１１】図１１は、第２実施形態の機器管理システムの動作の一例を示すシーケンス図である。
【図１２】図１２は、第１〜第２実施形態の機器管理装置及び資産管理装置のハードウェア構成の一例を示すブロック図である。
【発明を実施するための形態】
【００１２】
以下、添付図面を参照しながら、本発明にかかる機器管理装置、機器管理システム、及びプログラムの実施形態を詳細に説明する。
【００１３】
（第１実施形態）
まず、第１実施形態の機器管理システムの構成について説明する。
【００１４】
図１は、第１実施形態の機器管理システム１の構成の一例を示すブロック図である。図１に示すように、機器管理システム１は、機器管理装置１０と、機器２０〜２２と、ＰＣ（Personal  Computer）３０と、資産管理装置４０とを、備える。
【００１５】
機器管理装置１０、機器２０〜２１、ＰＣ３０、及び資産管理装置４０は、ネットワーク２を介して接続されている。機器２２及びＰＣ３０は、通信インタフェース３を介して接続されている。ネットワーク２は、例えば、インターネットやＬＡＮ（Local  Area  Network）などにより実現できる。通信インタフェース３は、例えば、ＵＳＢ（Universal  Serial  Bus）ケーブルなどにより実現できる。
【００１６】
機器管理装置１０は、機器２０〜２２及びＰＣ３０などの管理対象機器を管理するものであり、機器管理プログラムがインストールされたＰＣなどにより実現できる。図１では、機器管理装置１０の管理対象機器として、機器２０〜２２及びＰＣ３０を例示しているが、管理対象機器はこれらに限定されるものではない。
【００１７】
機器２０、２１は、ネットワーク２に接続可能な機器であればよく、機器２２は、通信インタフェース３に接続可能な機器であればよい。機器２０〜２２は、例えば、印刷装置、複写機、複合機、スキャナ装置、及びファクシミリ装置等の画像形成装置、並びにプロジェクタ、カメラ、エアコン、冷蔵庫、蛍光灯、自販機、及びハンドヘルド型端末等の各種電子機器などが該当する。複合機（ＭＦＰ：Multifunction  Peripheral）は、複写機能、印刷機能、スキャナ機能、及びファクシミリ機能のうち少なくとも２つの機能を有するものである。なお第１実施形態では、機器２０〜２２が複合機である場合を例に取り説明する。
【００１８】
また、以下の説明では、ネットワーク２に接続されている管理対象機器をネットワーク機器、ネットワーク２に接続されていない管理対象機器をローカル機器と称する場合がある。
【００１９】
資産管理装置４０は、機器２０〜２２及びＰＣ３０など固定資産の資産情報を管理するものであり、資産管理プログラムがインストールされたＰＣなどにより実現できる。
【００２０】
図２は、第１実施形態の機器２０の構成の一例を示すブロック図である。図２に示すように、機器２０は、本体５０と、無線ＬＡＮカード５１と、セキュリティカード５２と、拡張給紙トレイ５３と、拡張排紙トレイ５４と、ＦＡＸユニット５５とを、備えている。
【００２１】
本体５０は、機器２０に標準的に備えられている標準構成であり、例えば、ＮＩＣ（Network  Interface  Card）、標準給紙トレイ、及び標準排紙トレイなどを含んで構成される。
【００２２】
無線ＬＡＮカード５１、セキュリティカード５２、拡張給紙トレイ５３、拡張排紙トレイ５４、及びＦＡＸユニット５５は、機器２０に追加されている追加構成（以下、オプションと称する場合がある）であり、機器２０以外の機器に追加することもできる。
【００２３】
図３は、第１実施形態の機器管理装置１０の構成の一例を示すブロック図である。図３に示すように、機器管理装置１０は、通信部１１０と、操作部１２０と、表示部１３０と、記憶部１４０と、制御部１５０とを、備える。
【００２４】
通信部１１０は、ネットワーク２を介して、機器２０〜２１、ＰＣ３０、及び資産管理装置４０などの外部装置と通信するものであり、ＮＩＣなどにより実現できる。
【００２５】
操作部１２０は、各種操作の入力を行うものであり、キーボード、マウス、タッチパッド、及びタッチパネルなどの入力装置により実現できる。
【００２６】
表示部１３０は、各種画面を表示するものであり、液晶ディスプレイ及びタッチパネル式ディスプレイなどの表示装置により実現できる。
【００２７】
記憶部１４０は、機器管理装置１０で実行される機器管理プログラムなどの各種プログラム、及び機器管理装置１０で行われる各種処理に使用されるデータなどを記憶する。記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。
【００２８】
記憶部１４０は、機器情報記憶部１４１と、追加構成情報記憶部１４２とを、含む。機器情報記憶部１４１及び追加構成情報記憶部１４２の詳細については後述する。
【００２９】
制御部１５０は、機器管理装置１０の各部を制御するものであり、ＣＰＵ（Central  Processing  Unit）などの制御装置により実現できる。
【００３０】
制御部１５０は、主管理部１５１と、機器情報取得部１５２と、追加構成情報取得部１５３と、機器情報管理部１５４と、追加構成情報管理部１５５と、通知部１５６とを、含む。ここで、制御部１５０は、記憶部１４０に記憶されている機器管理プログラムを起動（実行）することにより、主管理部１５１、機器情報取得部１５２、追加構成情報取得部１５３、機器情報管理部１５４、追加構成情報管理部１５５、及び通知部１５６をソフトウェアとして実現する。
【００３１】
主管理部１５１は、制御部１５０の各部を制御する。
【００３２】
機器情報取得部１５２は、機器２０〜２２及びＰＣ３０などの管理対象機器に関する情報である機器情報を取得する。機器情報は、機器本体に関する情報であればよく、例えば、機器を識別する機器ＩＤ（機器識別情報の一例）、機器名称、モデル名、ベンダー名、ＩＰアドレス、シリアル番号、設置場所、及び管理者名などが挙げられる。
【００３３】
追加構成情報取得部１５３は、機器２０〜２２及びＰＣ３０などの管理対象機器に追加されている追加構成に関する情報である追加構成情報を取得する。追加構成情報は、オプションに関する情報であればよく、例えば、オプション名称、モデル名、ベンダー名、シリアル番号、設置場所、及び管理者名などが挙げられる。
【００３４】
第１実施形態では、機器情報取得部１５２及び追加構成情報取得部１５３は、ＳＮＭＰ（Simple  Network  Management  Protocol）などのプロトコルを用いた通信を管理対象機器との間で行い、機器情報及び追加構成情報を取得する。
【００３５】
但し、機器情報や追加構成情報の取得手法は、管理対象機器に対して取得要求を行って取得する手法に限定されるものではなく、例えば、管理対象機器が主体的に機器情報や追加構成情報を機器管理装置１０に通知する手法であってもよい。
【００３６】
また、機器情報取得部１５２及び追加構成情報取得部１５３は、機器２２のようなローカル機器については、ローカル機器と接続されているＰＣ３０のようなネットワーク機器に、ローカル機器の機器情報及び追加構成情報の取得を要求し、ネットワーク機器により取得されたローカル機器の機器情報及び追加構成情報を取得する。
【００３７】
なお、追加構成情報取得部１５３は、追加構成情報を取得できなかった場合には、表示部１３０にエラーメッセージとともに追加構成情報の入力画面を表示する。そして、ユーザにより操作部１２０を介して入力された追加構成情報を取得する。
【００３８】
機器情報管理部１５４は、機器情報記憶部１４１上で機器情報を管理する。具体的には、機器情報管理部１５４は、機器情報取得部１５２により取得された機器情報を機器情報記憶部１４１に記憶したり、機器情報記憶部１４１から機器情報を取得したり、機器情報記憶部１４１に記憶されている機器情報を更新したりする。
【００３９】
図４は、第１実施形態の機器情報記憶部１４１に記憶されている機器情報の一例を示す図である。図４に示す例では、機器情報は、機器ＩＤ、機器名称、モデル名、ベンダー名、ＩＰアドレス、シリアル番号、設置場所、及び管理者名などを含んでいる。
【００４０】
追加構成情報管理部１５５（生成部及び連携部の一例）は、追加構成情報記憶部１４２上で追加構成情報を管理する。具体的には、追加構成情報管理部１５５は、追加構成情報取得部１５３により取得された追加構成情報を追加構成情報記憶部１４２に記憶したり、追加構成情報記憶部１４２から追加構成情報を取得したり、追加構成情報記憶部１４２に記憶されている追加構成情報を更新したりする。
【００４１】
また追加構成情報管理部１５５は、追加構成を識別するオプションＩＤ（追加構成識別情報の一例）を生成する。具体的には、追加構成情報管理部１５５は、追加構成情報に含まれる一意な情報に基づきオプションＩＤを生成する。例えば、追加構成情報管理部１５５は、追加構成情報に含まれるシリアル番号やＭＡＣアドレスをオプションＩＤとする。
【００４２】
そして追加構成情報管理部１５５は、生成したオプションＩＤに基づいて、機器情報と追加構成情報とを連携させる。具体的には、追加構成情報管理部１５５は、オプションＩＤ及び機器ＩＤを追加構成情報に付加する。これにより、機器情報及び追加構成情報は、連携される。
【００４３】
図５は、第１実施形態の追加構成情報記憶部１４２に記憶されている追加構成情報の一例を示す図であり、機器情報との連携前の追加構成情報を示している。図５に示す追加構成情報は、追加構成情報取得部１５３により取得された追加構成情報を追加構成情報管理部１５５が追加構成情報記憶部１４２に記憶したものであり、オプション名称、モデル名、ベンダー名、シリアル番号、設置場所、及び管理者名などを含んでいる。
【００４４】
図６は、第１実施形態の追加構成情報記憶部１４２に記憶されている追加構成情報の一例を示す図であり、機器情報との連携後の追加構成情報を示している。図６に示す追加構成情報は、追加構成情報管理部１５５が図５に示す追加構成情報を図４に示す機器情報と連携させたものであり、オプションＩＤ、オプション名称、モデル名、ベンダー名、シリアル番号、設置場所、管理者名、及び機器ＩＤなどを含んでいる。なお、オプションＩＤ及び機器ＩＤは、追加構成情報取得部１５３により取得された追加構成情報には含まれておらず、追加構成情報管理部１５５によって追加構成情報に付加されたものである。
【００４５】
通知部１５６は、機器ＩＤ及びオプションＩＤの少なくともいずれかを資産管理装置４０（外部装置の一例）に通知する。例えば、通知部１５６は、機器ＩＤを資産管理装置４０に通知する。
【００４６】
図７は、第１実施形態の資産管理装置４０の構成の一例を示すブロック図である。図７に示すように、資産管理装置４０は、通信部４１０と、操作部４２０と、表示部４３０と、記憶部４４０と、制御部４５０とを、備える。
【００４７】
通信部４１０は、ネットワーク２を介して、機器管理装置１０などの外部装置と通信するものであり、ＮＩＣなどにより実現できる。
【００４８】
操作部４２０は、各種操作の入力を行うものであり、キーボード、マウス、タッチパッド、及びタッチパネルなどの入力装置により実現できる。
【００４９】
表示部４３０は、各種画面を表示するものであり、液晶ディスプレイ及びタッチパネル式ディスプレイなどの表示装置により実現できる。
【００５０】
記憶部４４０は、資産管理装置４０で実行される資産管理プログラムなどの各種プログラム、及び資産管理装置４０で行われる各種処理に使用されるデータなどを記憶する。記憶部４４０は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。
【００５１】
記憶部４４０は、資産情報記憶部４４１を含む。資産情報記憶部４４１は、機器２０〜２２及びＰＣ３０等の機器管理装置１０の管理対象機器などの固定資産の情報である資産情報を記憶する。
【００５２】
制御部４５０は、資産管理装置４０の各部を制御するものであり、ＣＰＵなどの制御装置により実現できる。制御部４５０は、機器管理装置１０から通知された機器ＩＤ及びオプションＩＤの少なくともいずれかに基づいて、当該機器ＩＤが示す機器の機器情報、追加構成情報、及び資産情報を連携させる。例えば、制御部４５０は、機器管理装置１０から通知された機器ＩＤを機器の資産情報に付加する。これにより、機器管理装置１０で管理されている機器情報及び追加構成情報と資産管理装置４０で管理されている資産情報とを関連付ける（連携する）ことができる。
【００５３】
図８は、第１実施形態の資産情報記憶部４４１に記憶されている資産情報の一例を示す図である。図８に示す例では、資産情報は、固定資産Ｎｏ、固定資産ＩＤ、機器ＩＤ、購入年月日、購入金額、減価償却費用、耐用年数、所属部門、及び責任者名称などを含んでいる。なお、機器ＩＤは、制御部４５０によって資産情報に付加されたものである。
【００５４】
次に、第１実施形態の機器管理システムの動作について説明する。
【００５５】
図９は、第１実施形態の機器管理システム１の動作の一例を示すシーケンス図である。ここでは、ＦＡＸユニット５５が機器２０の新たなオプションに追加された場合の動作を例に取り説明するが、これに限定されるものではない。
【００５６】
まず、主管理部１５１は、機器管理装置１０のタイマ（図示省略）により所定時間が計測されたり、操作部１２０を介してユーザから指示されたりすると、機器情報管理部１５４に対して、機器２０のＩＰアドレスの取得を要求する（ステップＳ１００）。
【００５７】
続いて、機器情報管理部１５４は、機器情報記憶部１４１に記憶されている機器２０の機器情報からＩＰアドレスを取得し、主管理部１５１に返却する（ステップＳ１０２）。
【００５８】
続いて、主管理部１５１は、機器２０のＩＰアドレスを機器情報取得部１５２に通知し、機器２０の機器情報の取得を命令する（ステップＳ１０４）。
【００５９】
続いて、機器情報取得部１５２は、機器２０のＩＰアドレスを用いて、機器２０との通信を確立し、機器情報の取得を要求する（ステップＳ１０６）。
【００６０】
続いて、機器２０は、自身に登録されている機器情報を取得し、機器管理装置１０（機器情報取得部１５２）に送信する（ステップＳ１０８）。
【００６１】
続いて、機器情報取得部１５２は、機器２０の機器情報を主管理部１５１に返却する（ステップＳ１１０）。
【００６２】
続いて、主管理部１５１は、機器２０の機器情報を機器情報管理部１５４に通知し、機器２０の機器情報の更新を要求する（ステップＳ１１２）。
【００６３】
続いて、機器情報管理部１５４は、通知された機器２０の機器情報で機器情報記憶部１４１に記憶されている機器２０の機器情報を更新し、更新完了を主管理部１５１に通知する（ステップＳ１１４）。
【００６４】
続いて、主管理部１５１は、機器２０のＩＰアドレスを追加構成情報取得部１５３に通知し、機器２０の追加構成情報の取得を命令する（ステップＳ１１６）。
【００６５】
続いて、追加構成情報取得部１５３は、機器２０のＩＰアドレスを用いて、機器２０との通信を確立し、追加構成情報の取得を要求する（ステップＳ１１８）。
【００６６】
続いて、機器２０は、自身に追加されたＦＡＸユニット５５から追加構成情報を取得し、機器管理装置１０（追加構成情報取得部１５３）に送信する（ステップＳ１２０）。
【００６７】
続いて、追加構成情報取得部１５３は、機器２０の追加構成情報を主管理部１５１に返却する（ステップＳ１２２）。
【００６８】
続いて、主管理部１５１は、機器２０の追加構成情報を追加構成情報管理部１５５に通知し、機器２０の追加構成情報のオプションＩＤの生成を命令する（ステップＳ１２４）。
【００６９】
続いて、追加構成情報管理部１５５は、機器２０の追加構成情報に含まれるシリアル番号をオプションＩＤとし、主管理部１５１に返却する（ステップＳ１２６）。
【００７０】
続いて、主管理部１５１は、追加構成情報及びオプションＩＤを追加構成情報管理部１５５に通知し、機器２０の追加構成情報の登録を要求する（ステップＳ１２８）。
【００７１】
続いて、追加構成情報管理部１５５は、機器情報管理部１５４に対して、機器２０の機器ＩＤの取得を要求する（ステップＳ１３０）。
【００７２】
続いて、機器情報管理部１５４は、機器情報記憶部１４１に記憶されている機器２０の機器情報から機器ＩＤを取得し、追加構成情報管理部１５５に返却する（ステップＳ１３２）。
【００７３】
続いて、追加構成情報管理部１５５は、追加構成情報にオプションＩＤ及び機器ＩＤを付加し、オプションＩＤ及び機器ＩＤを付加した追加構成情報を追加構成情報記憶部１４２に登録し、登録完了を主管理部１５１に通知する（ステップＳ１３４）。
【００７４】
なお、図９に示す例では、機器情報記憶部１４１に機器２０の機器情報が既に記憶されており、通知部１５６による資産管理装置４０への機器ＩＤの通知は既に行われているが、資産管理装置４０への機器ＩＤの通知が未だ行われていない場合には、この後、通知部１５６が資産管理装置４０へ機器ＩＤを通知する。
【００７５】
以上のように、第１実施形態によれば、追加構成についてのオプションＩＤを生成し、生成したオプションＩＤに基づいて、機器情報と追加構成情報とを連携させるので、機器と機器に追加されている追加構成とを連携させて管理することができる。
【００７６】
更に第１実施形態によれば、機器管理システムでは、オプションＩＤに基づき機器情報と追加構成情報とが連携されているので、機器管理システムから資産管理システムに機器ＩＤを通知することで、機器ＩＤに基づき機器情報と資産情報とを連携させることができ、この結果、機器情報と追加構成情報と資産情報とを連携させることができる。これにより、資産管理システムにおいて、機器だけでなく、機器に追加されている追加構成（オプション）についても固定資産として管理することができる。
【００７７】
（第２実施形態）
第２実施形態では、オプションＩＤを他の手法で生成する例について説明する。なお以下では、第１実施形態との相違点の説明を主に行い、第１実施形態と同様の機能を有する構成要素については、第１実施形態と同様の名称・符号を付し、その説明を省略する。
【００７８】
図１０は、第２実施形態の機器管理システム１００１の機器管理装置１０１０の構成の一例を示すブロック図である。図１０に示すように、機器管理装置１０１０は、制御部１１５０の追加構成情報管理部１１５５及び登録要求部１１５７が第１実施形態と相違する。
【００７９】
第１実施形態では、また追加構成情報管理部１５５は、追加構成情報に含まれる一意な情報に基づきオプションＩＤを生成した。但し、シリアル番号やＭＡＣアドレスのような一意な情報が追加構成情報に含まれていない場合もある。そこで、第２実施形態の追加構成情報管理部１１５５は、このような場合、追加構成情報に含まれる非一意な情報と機器情報に含まれる一意な情報とに基づきオプションＩＤを生成する。例えば、追加構成情報管理部１１５５は、機器情報に含まれるシリアル番号やＭＡＣアドレスと追加構成情報に含まれるモデル名とを組み合わせてオプションＩＤとする。これにより、追加構成情報に一意な情報が含まれていない場合であっても一意なオプションＩＤを生成することができる。
【００８０】
また追加構成情報管理部１１５５は、既に追加構成情報に付加されている追加構成識別情報と異なる追加構成識別情報を新たに生成した場合、当該追加構成識別情報を更に追加構成識別情報に付加する。
【００８１】
登録要求部１１５７は、追加構成情報管理部１１５５により追加構成情報に含まれる非一意な情報と機器情報に含まれる一意な情報とに基づきオプションＩＤが生成された場合、追加構成情報の取得元の機器にオプションＩＤの登録を要求する。これにより、追加構成情報の取得元の機器の不揮発性の記憶部（例えば、不揮発性の半導体メモリ）などにオプションＩＤが登録される。
【００８２】
図１１は、第２実施形態の機器管理システム１００１の動作の一例を示すシーケンス図である。ここでは、拡張排紙トレイ５４が機器２０の新たなオプションに追加された場合の動作を例に取り説明するが、これに限定されるものではない。
【００８３】
まず、ステップＳ２００〜Ｓ２２４までの処理は、図９に示すシーケンス図のステップＳ１００〜Ｓ１２４までの処理と同様である。但し、ステップＳ２２０で機器２０により取得される追加構成情報は、拡張排紙トレイ５４のものとなる。
【００８４】
続いて、追加構成情報管理部１１５５は、機器情報管理部１５４に対して、機器２０のシリアル番号の取得を要求する（ステップＳ２２６）。
【００８５】
続いて、機器情報管理部１５４は、機器情報記憶部１４１に記憶されている機器２０の機器情報からシリアル番号を取得し、追加構成情報管理部１１５５に返却する（ステップＳ２２８）。
【００８６】
続いて、追加構成情報管理部１１５５は、機器２０のシリアル番号と機器２０の追加構成情報に含まれるモデル名との組み合わせをオプションＩＤとする。そして追加構成情報管理部１１５５は、オプションＩＤを登録要求部１１５７に通知し、機器２０（拡張排紙トレイ５４）へのオプションＩＤの登録を命令する（ステップＳ２３０）。
【００８７】
続いて、登録要求部１１５７は、機器２０にオプションＩＤを送信し、拡張排紙トレイ５４へのオプションＩＤの登録を要求する（ステップＳ２３２）。
【００８８】
続いて、機器２０は、オプションＩＤを拡張排紙トレイ５４に登録し、登録完了を機器管理装置１０１０（登録要求部１１５７）に送信する（ステップＳ２３４）。
【００８９】
続いて、登録要求部１１５７は、拡張排紙トレイ５４へのオプションＩＤの登録完了を追加構成情報管理部１１５５に通知する（ステップＳ２３６）。
【００９０】
以降のステップＳ２３８〜Ｓ２４６までの処理は、図９に示すシーケンス図のステップＳ１２６〜Ｓ１３４までの処理と同様である。
【００９１】
以上のように、第２実施形態によれば、追加構成情報に一意な情報が含まれていない場合であっても一意なオプションＩＤを生成することができるので、オプションＩＤの重複を防止でき、オプションＩＤから確実に追加構成情報を特定することができる。
【００９２】
また第２実施形態によれば、追加構成情報に一意な情報が含まれていない、即ち、追加構成（オプション）に一意な情報が含まれていない場合であっても、追加構成に一意なオプションＩＤを登録するので、オプションＩＤを用いることで追加構成（オプション）を容易に検索することができる。
【００９３】
また第２実施形態によれば、追加構成（オプション）が異なる機器に付け替えられた場合などには、今までのオプションＩＤと異なる新たなオプションＩＤが生成されるが、今までのオプションＩＤを残したまま新たなオプションＩＤが追加構成情報に付加されるので、旧オプションＩＤを用いた履歴追跡などが可能となる。
【００９４】
（ハードウェア構成）
図１２は、上記第１〜第２実施形態の機器管理装置及び資産管理装置のハードウェア構成の一例を示すブロック図である。図１２に示すように、上記各実施形態の機器管理装置及び資産管理装置は、ＣＰＵなどの制御装置８０１と、ＲＯＭやＲＡＭなどの記憶装置８０２と、ＨＤＤやＳＳＤなどの外部記憶装置８０３と、ディスプレイなどの表示装置８０４と、マウスやキーボードなどの入力装置８０５と、ＮＩＣなどの通信Ｉ／Ｆ８０６とを、備えており、通常のコンピュータを利用したハードウェア構成で実現できる。
【００９５】
上記各実施形態の機器管理装置及び資産管理装置で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９６】
また、上記各実施形態の機器管理装置及び資産管理装置で実行されるプログラムを、インターネット等のネットワークに接続されたコンピュータ上に格納し、ネットワーク経由でダウンロードさせることにより提供するようにしてもよい。また、上記各実施形態の機器管理装置及び資産管理装置で実行されるプログラムを、インターネット等のネットワーク経由で提供または配布するようにしてもよい。また、上記各実施形態の機器管理装置及び資産管理装置で実行されるプログラムを、ＲＯＭ等に予め組み込んで提供するようにしてもよい。
【００９７】
上記各実施形態の機器管理装置及び資産管理装置で実行されるプログラムは、上述した各部をコンピュータ上で実現させるためのモジュール構成となっている。実際のハードウェアとしては、制御装置８０１が外部記憶装置８０３からプログラムを記憶装置８０２上に読み出して実行することにより、上記各部がコンピュータ上で実現されるようになっている。
【００９８】
（変形例）
なお、本発明は、上記実施形態に限定されるものではなく、種々の変形が可能である。
【００９９】
例えば、上記各実施形態では、機器ＩＤ及びオプションＩＤを追加構成情報に付加することで機器情報と追加構成情報とを連携させたが、オプションＩＤを機器情報及び追加構成情報に付加することで機器情報と追加構成情報とを連携させてもよい。
【０１００】
また上記各実施形態では、機器管理装置と連携する外部装置として資産管理装置を例に取り説明したが、機器管理装置と連携する外部装置は、これに限定されるものではない。また上記各実施形態では、機器情報及び追加構成情報と連携させる情報として資産情報を例に取り説明したが、機器情報及び追加構成情報と連携させる情報は、これに限定されるものではない。
【０１０１】
また上記各実施形態では、機器管理装置１０が機器情報及び追加構成情報を記憶する例について説明したが、機器情報及び追加構成情報を外部に記憶するようにしてもよい。例えば、機器情報を記憶する機器情報データベース及び追加構成情報を記憶する追加構成情報データベースを外部（例えば、クラウド上）に設けるようにしてもよい。
【符号の説明】
【０１０２】
１、１００１  機器管理システム
２  ネットワーク
３  通信インタフェース
１０、１０１０  機器管理装置
２０〜２２  機器
３０  ＰＣ
４０  資産管理装置
５０  本体
５１  無線ＬＡＮカード
５２  セキュリティカード
５３  拡張給紙トレイ
５４  拡張排紙トレイ
５５  ＦＡＸユニット
１１０  通信部
１２０  操作部
１３０  表示部
１４０  記憶部
１４１  機器情報記憶部
１４２  追加構成情報記憶部
１５０、１１５０  制御部
１５１  主管理部
１５２  機器情報取得部
１５３  追加構成情報取得部
１５４  機器情報管理部
１５５、１１５５  追加構成情報管理部
１５６  通知部
４１０  通信部
４２０  操作部
４３０  表示部
４４０  記憶部
４４１  資産情報記憶部
４５０  制御部
８０１  制御装置
８０２  記憶装置
８０３  外部記憶装置
８０４  表示装置
８０５  入力装置
８０６  通信Ｉ／Ｆ
１１５７  登録要求部
【先行技術文献】
【特許文献】
【０１０３】
【特許文献１】特開２０１１−０１４０３６号公報
【図１】
2013186631.tif 000003
【図２】
2013186631.tif 000004
【図３】
2013186631.tif 000005
【図４】
2013186631.tif 000006
【図５】
2013186631.tif 000007
【図６】
2013186631.tif 000008
【図７】
2013186631.tif 000009
【図８】
2013186631.tif 000010
【図９】
2013186631.tif 000011
【図１０】
2013186631.tif 000012
【図１１】
2013186631.tif 000013
【図１２】
2013186631.tif 000014